(57)【要約】【課題】  ルーバーの開閉状態をルーバー羽板毎に設定できる可変ルーバー装置を提供する。【解決手段】  この発明に係る可変ルーバー装置は、所定の回動支点で回動し、所定の面を開閉する複数のルーバー羽板からなるルーバーを少なくとも具備する可変ルーバー装置において、それぞれのルーバー羽板に設けられ、ルーバー羽板の開閉状態を設定する開閉状態設定手段がそれぞれのルーバー羽板に設けられることを特徴とする。また、前記開閉状態設定手段によって設定されたルーバー羽板の開閉状態に基づいて前記ルーバーを駆動させる駆動手段を具備し、それぞれのルーバー羽板には、前記駆動手段の動作を無効にする動作無効手段が具備される。さらに、前記開閉状態設定手段は、それぞれのルーバーの開閉を設定する開閉設定手段を具備し、さらにまた、それぞれのルーバーの開閉角度を設定する開閉角度設定手段を具備する。また、前記開閉状態設定手段によって設定されたルーバーの開閉状態を逆の状態にする開閉逆転手段を具備する。【選択図】  図２
2005207041.tif 000002
【特許請求の範囲】
【請求項１】
所定の回動支点で回動し、所定の面を開閉する複数のルーバー羽板からなるルーバーを少なくとも具備する可変ルーバー装置において、
ルーバー羽板の開閉状態を設定する開閉状態設定手段がそれぞれのルーバー羽板に設けられることを特徴とする可変ルーバー装置。
【請求項２】
前記開閉状態設定手段によって設定されたルーバー羽板の開閉状態に基づいて前記ルーバーを駆動させる駆動手段を具備することを特徴とする請求項１記載の可変ルーバー装置。
【請求項３】
それぞれのルーバー羽板には、前記駆動手段の動作を無効にする動作無効手段が具備されることを特徴とする請求項１又は２記載の可変ルーバー装置。
【請求項４】
前記開閉状態設定手段は、それぞれのルーバー羽板の開閉を設定する開閉設定手段を具備することを特徴とする請求項１、２又は３記載の可変ルーバー装置。
【請求項５】
前記開閉状態設定手段は、それぞれのルーバー羽板の開閉角度を設定する開閉角度設定手段を具備することを特徴とする前段請求項のいずれか一つに記載の可変ルーバー装置。
【請求項６】
前記開閉状態設定手段によって設定されたルーバー羽板の開閉状態を逆の状態にする開閉逆転手段を具備することを特徴とする前段請求項のいずれか一つに記載の可変ルーバー装置。
【発明の詳細な説明】
【技術分野】
【０００１】
この発明は、例えば、ルーバーサッシのような所定の面を開閉するための複数のルーバー羽板からなるルーバーを有する可変ルーバー装置に関する。
【背景技術】
【０００２】
特許文献１に開示されるルーバーサッシは、サッシ枠に横又は縦方向に所定の間隔で複数の桟を設け、この桟の端縁部に長手方向にタイト材を取り付け、上記各桟の間で長手方向の回動軸を中心に回動自在に設けられていると共に、長手方向に沿って上記タイト材に当接する複数の羽根部材を設けたことを特徴とするものである。  
【０００３】
特許文献２は、面格子周枠内に縦長又は横長の多数のルーバーを開閉可能に配設してなる可動ルーバー面格子において、面格子周枠の室内側にはルーバー長手方向中間所要部にルーバーと直交する支柱を設け、この支柱から各ルーバー毎に支持アームを突出させて、各支持アームの先端部に各ルーバーの長手方向中間所要部を軸支してなる可動ルーバー面格子を開示する。また、前記ルーバーは、所要数個のルーバーからなるルーバー群ごとに他のルーバー群と独立して連動開閉するようになっていることが開示される。
【特許文献１】実開平５−７３１９０号公報
【特許文献２】特開２００１−１５２７５９号公報
【発明の開示】
【発明が解決しようとする課題】
【０００４】
しかしながら、上記引例に開示されるルーバーは、全体又は一つのルーバー群を構成するルーバー自体の動作が開状態か閉状態の２つの選択肢しかなく、開状態を多くしたい、又は所定の部分だけを閉状態にしたいなど、細かい要望に対応することができなかった。
【０００５】
したがって、この発明は、ルーバーの開閉状態をルーバー羽板毎に設定できる可変ルーバー装置を提供することにある。
【課題を解決するための手段】
【０００６】
よって、この発明に係る可変ルーバー装置は、所定の回動支点で回動し、所定の面を開閉する複数のルーバー羽板からなるルーバーを少なくとも具備する可変ルーバー装置において、ルーバー羽板の開閉状態を設定する開閉状態設定手段がそれぞれのルーバー羽板に設けられることを特徴とする。また、前記開閉状態設定手段によって設定されたルーバー羽板の開閉状態に基づいて前記ルーバーを駆動させる駆動手段を具備するものである。
【０００７】
さらに、それぞれのルーバー羽板には、前記駆動手段の動作を無効にする動作無効手段が具備される。
【０００８】
さらに、前記開閉状態設定手段は、それぞれのルーバー羽板の開閉を設定する開閉設定手段を具備し、また、それぞれのルーバー羽板の開閉角度を設定する開閉角度設定手段を具備する。
【０００９】
さらにまた、前記開閉状態設定手段によって設定されたルーバー羽板の開閉状態を逆の状態にする開閉逆転手段を具備する。
【発明の効果】
【００１０】
この発明によれば、従来のルーバー羽板を全体的に開閉する動作に加えて、それぞれのルーバー羽板の開閉状態を個別に設定する手段を設けたことから、従来と同様の動作でルーバー全体を駆動させることによってそれぞれのルーバー羽板が設定された状態に基づいて、開いたり、閉鎖した状態のままであったり、所定の角度で開いたりすることができるため、所望の開閉状態を得ることができるものである。
【発明を実施するための最良の形態】
【００１１】
以下、この発明の実施例について図面により説明する。
【００１２】
図１は、複数の可変ルーバー装置１によって構成されたルーバーサッシ２を示す。それぞれの可変ルーバー装置１は、例えば図２（ａ），（ｂ）で示すように、所定の面７を開閉する複数のルーバー羽板３からなるルーバー３０と、それぞれのルーバー羽板３にそのルーバー羽板３の開閉状態を設定するために設けられた開閉状態設定装置４と、前記ルーバー羽板３を全体的に駆動する駆動機構６を有する駆動装置５とを備えている。これによって、通常図１に示すようにルーバー羽板３は、所定の面７を全閉状態にしているが、駆動装置５を稼働させることによって、図２（ａ）又は図２（ｂ）で示すように、開くように設定されたルーバー羽板３は、前記所定の面７を開放し、閉じるように設定されたルーバー羽板３は所定の面７を閉じたままの状態にする。また、前記駆動装置５に、逆転装置を設けることによって、図２（ａ）の状態から図２（ｂ）の状態へ開閉状態を逆転させるようにしても良いものである。
【００１３】
図３は、前記開閉状態設定装置４が、開閉角度設定装置を具備し、前記ルーバー羽板３の開閉角度を設定できるようにしたものである。これにより、図３（ａ）で示すように、駆動機構６を駆動させることによって、全閉状態のルーバー羽板３、少し開いたルーバー羽板３ａ、中ぐらいに開いたルーバー羽板３ｂ、完全に開いたルーバー羽板３ｃを達成することができるものである。また、前記逆転装置によって図３（ａ）で示す状態から、図３（ｂ）で示す状態に開閉状態を逆転させることができるものである。
【実施例１】
【００１４】
図４に示すものは、コントロールユニット１０によって前記開閉状態設定装置４及び駆動装置５を制御するようにしたものである。操作パネル１１の操作によって、図５のフローチャートで示す制御が実行される。
【００１５】
ステップ１００から開始される可変ルーバー制御において、ステップ１１０で各ルーバー羽板３の開閉状態及び開閉角度がプログラム的又は電気的に、例えば図２（ａ），（ｂ）又は図３（ａ），（ｂ）で示す状態が達成できるように設定される。そして、ステップ１２０において、前記操作パネル１１に設けられた開閉動作スイッチが投入されたか否か（作動？）が判定され、投入されたと判定された場合（Ｙ）には、ステップ１３０に進んで駆動装置５を作動させてルーバー羽板３を作動させて、例えば図２（ａ），（ｂ）又は図３（ａ），（ｂ）で示す状態にするものである。また、ステップ１４０の判定によって、前記操作パネル１１に設けられた逆転動作スイッチ、又はコントロールユニット１０内で自動的に逆転指令が発せられた場合（逆転？）には、ステップ１５０に進んで駆動装置５にルーバー逆転命令を発して、図２（ａ）の状態にある場合には図２（ｂ）の状態に、図２（ｂ）の状態にある場合は図２（ａ）の状態に、また図３（ａ）の状態にある場合には図３（ｂ）の状態に、図３（ｂ）の状態にある場合は図３（ａ）の状態に状態を移行させるものである。
【実施例２】
【００１６】
この実施例において、前記開閉状態設定装置４は、機構的に前記ルーバー羽板３の開閉を設定することのできる設定カム４０を具備する。このカム４０は、回転中心軸４１によって例えばフレーム１２に回転自在に保持され、開閉状態を設定するための凸部４２及び凹部４３と、回転動力が伝えられるギア４４とによって構成される。また、それぞれギア４４は、ドライブベルト４５を介して駆動装置４６によって一体に回転するようになっており、設定カム４０を４５度回転させることによって開閉が逆転するようになっているものである。また、前記駆動装置４６は、この実施例では、ステッピングモータ等の所定の角度を回動させることが可能な駆動手段であるが、手動によって回転させる者であっても良いものである。
【００１７】
さらに、前記開閉状態設定装置４は、例えば図７（ａ），（ｂ）で示すように、設定カム４０のカム面に沿って移動するローラ５１と、このローラ５１の移動によって上下するロッド５２と、このロッド５２によって開閉されるスイッチ５０を具備する開閉機構を具備する。これによって、例えば、図８の電気回路図で示されるように、前記ローラ５１の移動により前記ロッド５２が前記設定カム４０の凸部４２によって押し上げられた場合にスイッチ５０は閉じられ、前記ローラ５１の移動により前記ロッド５２が前記設定カム４０の凹部４３によって下げられた場合にスイッチ５０は開かれるように設定される。
【００１８】
図８で示す電気回路図において、それぞれのルーバー羽板３は、ステッピングモータ５９によって回転されることが望ましい。さらに、外部設定によって回転範囲を設定可能なステッピングモータを使用することによってルーバー羽板３の回転角度を予め設定することができる。
【００１９】
これによって、稼働スイッチ５４が投入されると、電源回路５３からの電力によって、設定カム４０によって閉じられたスイッチ５０と接続されるステッピングモータ５９が駆動され、対応するルーバー羽板３が開扉される。また、設定カム４０によって開かれたスイッチ５０と接続されるステッピングモータ５９は稼働しないため、対応するルーバー羽板３は閉扉されたままの状態となり、例えば、図２（ｂ）で示す状態が得られる。
【００２０】
この実施例の場合、図６で示すように、駆動装置４６によってドライブベルト４５を介してそれぞれの設定カム４０を４５度回転させることによって、各スイッチ５０の状態が逆転するため、図２（ｂ）で示す状態から図２（ａ）で示す状態へ、ルーバー羽板３の開閉状態を逆転させることができるものである。
【００２１】
また、前記駆動装置４６を適当な回転速度で回転させることによって、またタイマー等によって所定時間毎に４５度ずつ回転させることによって、例えば図２（ａ），（ｂ）の開閉状態から図２（ｂ），（ａ）の開閉状態に定期的に開閉状態を移行させることが可能となる。このため、例えば、図９（ａ），（ｂ）で示すように、設定カム４０の形状を変えることによってルーバー羽板３の開閉状態をさらに変化に富んだものとすることができるものである。ちなみに、図９（ａ）で示す設定カム４０Ａは、３回の開閉動作後に一回の開いたままの状態を保持するカム面４２Ａが形成されたものである。また、図９（ｂ）で示す設定カム４０Ｂは、３回連続でルーバー羽板３を開けたままの状態とするカム面４２Ｂが形成されたものである。
【００２２】
図１０で示す電気回路図は、図８で示された電気回路図に、さらにそれぞれのルーバー羽板３の開閉を無効にする動作無効スイッチ５８を常設した実施例を示す。この動作無効スイッチ５８は手動スイッチであることが望ましい。この動作無効スイッチ５８によって、本来開扉動作を行うように設定されたルーバー羽板３の動作を無効とすることができる。
【実施例３】
【００２３】
図１１及び図１２は、ルーバー羽板３の開放角度を機構的に設定する実施例を示したものである。基本的に、ルーバー羽板３は、遮蔽プレート部３１と、その遮蔽プレート部３１の長手方向両端部に設けられ、前記遮蔽プレート部３１を支持する支持部３２と、この支持部３２を所定の位置でフレーム１２に回転自在に固着する回転軸部３３とによって構成される。また、前記支持部３２には、前記回転軸部３３からの距離を異にする２つの穴部３４Ａ及び３４Ｂとこれを連結する連結穴とによって構成される回動カム穴３４が形成され、この回動カム穴３４には、前記支持部３２を、前記回転軸部３３を中心として回動させるための駆動ピン３６が噛合する。この駆動ピン３６は、駆動プレート３５を介して駆動機構６と連結される連結ピン３７と連結される。この実施例では、この連結ピン３７は、モータやソレノイドによって電気的に押し上げ又は押し下げする。
【００２４】
図１１では、前記駆動ピン３６が前記回転軸部３３から遠い位置にある穴部３４Ｂに噛合していることから、前記連結ピン３７の移動距離Ｄに対して前記支持部３２の回転範囲が小さいため、前記遮蔽プレート部３１の開放角度は小さいものとなる。
【００２５】
図１２では、前記駆動ピン３６が前記回転軸部３３から近い位置にある穴部３４Ａに噛合していることから、前記連結ピン３７の移動距離Ｄに対して前記支持部３２の回転範囲が大きくなるため、前記遮蔽プレート部３１の開放角度は図１１の場合と比べて大きいものとなる。このように、この実施例では、機構的に前記ルーバー羽板３の開放角度を設定できるものである。尚、この実施例では、回動カム穴３４の穴部を２つとしたが、３つ、４つとすることによってさらにきめの細かい開放角度を設定できるものである。
【実施例４】
【００２６】
図１３乃至図１５は、前述した開閉動作をすべて機構的に行うようにした実施例を示している。図１３で示される駆動機構６は、手動若しくは電動によってフレーム１２に沿って移動する開閉連結アーム６０を具備する。この開閉連結アーム６０には、それぞれのルーバー羽板３に対応して、前記連結ピン３７が噛合する駆動カム穴６１及び前記設定カム４０の回転中心軸４１が固定される設定カム装着孔６２が少なくとも形成される。
【００２７】
また、図１４（ａ），（ｂ）で示すように、前記開閉連結アーム６０に形成の駆動カム穴６１に前記連結ピン３７が移動可能に装着され、さらに前記連結ピン３７を前記駆動カム穴６１の一方の端部に保持固定する作動クランク７０が設けられる。この作動クランク７０は、前記開閉連結アーム６０に固定される回動支点部７１と、前記設定カム４０のカム面に当接する移動ピン７２と、前記連結ピン３７を保持する保持固定部７３とを少なくとも具備する。
【００２８】
これによって、図１４（ａ）で示すように、前記設定カム４０の凹部４３に前記移動ピン７２が移動した場合、作動クランク７０が前記連結ピン３７を駆動カム穴６１に固定しているため、開閉連結アーム６０の移動に伴って連結ピン３７が移動すると、図１１及び１２に示すような機構を介して前記ルーバー羽板３の開閉動作が実行される。また、図１４（ｂ）で示すように、前記設定カム４０の凸部４２によって前記移動ピン７２が移動した場合、前記作動クランク７０の保持固定部７３による固定が解除されるため、前記移動ピン７２が前記駆動カム穴６１に対してフリーとなるため、前記開閉連結アーム６０が移動しても連結ピン３７が移動しないため、前記ルーバー羽板３は開閉しないものである。
【００２９】
この実施例の場合も、図６で示すような機構を介して、設定カム４０を回転させることによってそれぞれのルーバー羽板３の開閉状態を変化させることができるものである。
【００３０】
図１５は、上記機構を用いた場合の動作無効機構の一例を示したものである。前記開閉連結アーム６０には、さらに、動作無効プレート８０の噛合溝６３と、前記作動クランク７０に設けられた動作無効ピン７４が突出する移動穴６４とが形成され、前記動作無効プレート８０は、前記噛合溝６３に噛合するガイドプレート部８１と、前記動作無効ピン７４を動作有効位置８３及び動作無効位置８４とに固定するカム穴８２とが形成される。これによって、動作無効プレート８０を、例えば図１５（ａ）に位置に移動させることによって、前記作動クランク７０の動作無効ピン７４が動作有効位置８３にあることから、前記設定カム４０の動作に対して有効となる。また、この動作無効プレート８０を図面上方に移動させた場合、前記動作無効ピン７４が、カム穴８２の動作有効位置８３から傾斜部８５を介して動作無効位置８４へ移動するので、前記作動クランク７０が傾斜し、設定カム４０の回転位置に関わらず、前記作動クランク７０が連結ピン３７を保持固定しないので、開閉連結アーム６０の移動に関係なくルーバー羽板３は開閉動作しない。
【産業上の利用可能性】
【００３１】
以上説明したように、この発明は、それぞれのルーバーの開閉状態を独立して設定できると共に、それぞれのルーバーの動作を無効にすることもできるので、ルーバーサッシとして家庭や、商店の窓の開口面の開閉に使用することができ、窓のデザイン性を向上させることができる。
【００３２】
また、２つの空間を視覚的につなげたり、遮蔽したりすることが手軽にできるため、室内等の空間内部を仕切る間仕切りとして使用することもできる。
【００３３】
さらに、本発明に係る可変ルーバー装置を、内部に吸音材が配された音楽室やホール等の壁面に取り付けることによって、吸音部と反射部とを幾つものパターンで切り替え、変化させることができる可変吸音装置に利用することもできる。
【００３４】
さらにまた、天井に取り付けることによって、部屋の使用状況に合わせて天井を変化させることができるようになるものである。特に、光の取り込み量をきめ細かく調節することが可能となる。
【００３５】
さらに、建物の外壁等に取り付けることによって広告宣伝に使用することも可能である。
【図面の簡単な説明】
【００３６】
【図１】本願発明の可変ルーバー装置によるルーバーサッシの説明図である。
【図２】本願発明の可変ルーバー装置の構成及び開閉状態の一例を示した説明図であり、（ａ）と（ｂ）は作動が反転した状態を示したものである。
【図３】本願発明の可変ルーバー装置の構成及び開閉状態、特に開放角度に変化を持たせた状態を示した説明図であり、（ａ）と（ｂ）は作動が反転した状態を示したものである。
【図４】本願発明の第１の実施例に係る可変ルーバー装置の構成を示した説明図である。
【図５】図４に示す第１の実施例に係る可変ルーバー装置の制御例を示すフローチャート図である。
【図６】第２の実施例に係る開閉状態設定装置が具備する設定カムの設定状況を示した説明図である。
【図７】（ａ）は設定カムによってスイッチが閉じられた状態を示した説明図であり、（ｂ）は設定カムによってスイッチが開かれた状態を示した説明図である。
【図８】第２の実施例に係る電気回路図である。
【図９】（ａ），（ｂ）は、設定カムの他の例を示した説明図である。
【図１０】動作無効スイッチを具備した電気回路図である。
【図１１】第３の実施例に係るルーバーの開閉機構を示す説明図であり、（ａ）は閉鎖状態、（ｂ）は小さい開放角度を示す説明図である。
【図１２】第３の実施例に係るルーバーの開閉機構を示す説明図であり、（ａ）は閉鎖状態、（ｂ）は大きい開放角度を示す説明図である。
【図１３】第４の実施例に係る開閉連結アームの構成図である。
【図１４】（ａ）は、作動クランクによってルーバーが開閉可能な状態に設定されたことを示し、（ｂ）はルーバーが閉鎖を維持する状態に設定されたことを示す説明図である。
【図１５】第４の実施例の動作無効機構を示した説明図であり、（ａ）は動作有効状態、（ｂ）は動作無効状態を示す説明図である。
【符号の説明】
【００３７】
１  可変ルーバー装置
２  ルーバーサッシ
３  ルーバー
４  開閉状態設定装置
５  駆動装置
６  駆動機構
７  所定の面
１０  コントロールユニット
１１  操作パネル
１２  フレーム
３１  遮蔽プレート
３２  支持部
３３  回転軸部
３４  回動カム穴
３５  駆動プレート
３６  駆動ピン
３７  連結ピン
４０  設定カム
４１  回転中心軸
４２  凸部
４３  凹部
４４  ギア
４５  ドライブベルト
４６  駆動装置
５０  スイッチ
５１  ローラ
５２  ロッド
５８  動作無効スイッチ
５９  ステッピングモータ
６０  開閉連結アーム
６１  駆動カム穴
６２  設定カム装着孔
６３  噛合溝
６４  移動穴
７０  作動クランク
７１  回動支点部
７２  移動ピン
７３  保持固定部
８０  動作無効プレート
８１  ガイドプレート部
８２  カム穴
８３  動作有効位置
８４  動作無効位置
８５  傾斜部
【図１】
2005207041.tif 000003
【図２】
2005207041.tif 000004
【図３】
2005207041.tif 000005
【図４】
2005207041.tif 000006
【図５】
2005207041.tif 000007
【図６】
2005207041.tif 000008
【図７】
2005207041.tif 000009
【図８】
2005207041.tif 000010
【図９】
2005207041.tif 000011
【図１０】
2005207041.tif 000012
【図１１】
2005207041.tif 000013
【図１２】
2005207041.tif 000014
【図１３】
2005207041.tif 000015
【図１４】
2005207041.tif 000016
【図１５】
2005207041.tif 000017